(57)【特許請求の範囲】
【請求項１】
印刷ジョブをもとに、複写材が設けられた用紙の印刷領域を特定すると共に前記印刷領域の中で複写を制限する領域を特定し、前記特定した複写を制限する領域については、前記印刷ジョブの全般に適用する画像処理とは異なる、前記特定した複写を制限する領域に塗布される複数種類の色材の合計の使用量が前記複数種類の色材を組み合わせることで一の色材に許容される使用量の最大値よりも高くされた他の画像処理を施した画像データを生成する生成手段と、
前記画像データに従って前記複数種類の色材を塗布して前記印刷領域に画像を形成する形成手段と、
を有することを特徴とする印刷装置。
【請求項２】
前記生成手段は、前記特定した複写を制限する領域のオブジェクトの属性を識別し、前記オブジェクトの属性が規定の属性でない場合、前記他の画像処理を施した画像データを生成することを特徴とする請求項１に記載の印刷装置。
【請求項３】
前記生成手段は、前記印刷ジョブに指定された種類の色材を前記指定された種類とは異なる種類の色材に変更して前記他の画像処理を施した画像データを生成することを特徴とする請求項１に記載の印刷装置。
【請求項４】
印刷装置が用紙へ印刷する際の印刷方法であって、
印刷ジョブをもとに、複写材が設けられた用紙の印刷領域を特定すると共に前記印刷領域の中で複写を制限する領域を特定し、前記特定した複写を制限する領域については、前記印刷ジョブの全般に適用する画像処理とは異なる、前記特定した複写を制限する領域に塗布される複数種類の色材の合計の使用量が前記複数種類の色材を組み合わせることで一の色材に許容される使用量の最大値よりも高くされた他の画像処理を施した画像データを生成する生成工程と、
前記画像データに従って前記複数種類の色材を塗布して前記印刷領域に画像を形成する形成工程と
を含むことを特徴とする印刷方法。
【請求項５】
コンピュータを、
印刷ジョブをもとに、複写材が設けられた用紙の印刷領域を特定すると共に前記印刷領域の中で複写を制限する領域を特定し、前記特定した複写を制限する領域については、前記印刷ジョブの全般に適用する画像処理とは異なる、前記特定した複写を制限する領域に塗布される複数種類の色材の合計の使用量が前記複数種類の色材を組み合わせることで一の色材に許容される使用量の最大値よりも高くされた他の画像処理を施した画像データを生成する生成手段と、
前記画像データに従って前記複数種類の色材を塗布して前記印刷領域に画像を形成する形成手段と
して機能させるプログラム。
【発明の詳細な説明】
【技術分野】
【０００１】
本発明は、印刷装置、印刷方法、及びプログラムに関する。
【背景技術】
【０００２】
従来から、特定の領域に文字等を記入して複写させるために、各種の帳票フォームが形成されたノーカーボン紙が知られている。また、ノーカーボン紙を使用して後続のページに複写させる帳票などを作成する場合であっても、後続のページに複写させたくない領域も存在する場合がある。その際には、次のページに複写されないよう、前のページのノーカーボン紙の裏面の該当する領域にトナーを塗布することにより、部分的に複写を禁止させることも一般的である（例えば、特許文献１参照）。
【先行技術文献】
【特許文献】
【０００３】
【特許文献１】特開２００６−１８５３５８号公報
【発明の概要】
【発明が解決しようとする課題】
【０００４】
しかしながら、例えば、電子写真方式を採用している印刷装置では、その画像処理の影響で結果的にノーカーボン紙の裏面に十分なトナーが塗布されず、その環境下で複写を適切に遮ることにおいては、従来の技術を用いることができない。
つまり、ノーカーボン紙において、後続のページに複写させないためには、複写させたくない領域に十分なトナーを塗布する必要がある。しかしながら、印刷装置の画像処理部は、指定された画像処理を印刷ジョブ全体に施す。その画像処理の中には、画質や印刷装置の特徴を考慮して、塗布するトナーの量（トナー使用量）を減量したり間引いたりする処理も含まれる。このような場合、結果的にノーカーボン紙の裏面の該当する領域に十分なトナーが塗布されず、複写を適切に遮ることができなくなる。
【０００５】
本発明はこのような問題点に鑑みなされたもので、より適切に複写を制限することを目的とする。
【課題を解決するための手段】
【０００６】
そこで、本発明に係る印刷装置は、印刷ジョブをもとに、複写材が設けられた用紙の印刷領域を特定すると共に前記印刷領域の中で複写を制限する領域を特定し、前記特定した複写を制限する領域については、前記印刷ジョブの全般に適用する画像処理とは異なる、前記特定した複写を制限する領域に塗布される複数種類の色材の合計の使用量が前記複数種類の色材を組み合わせることで一の色材に許容される使用量の最大値よりも高くされた他の画像処理を施した画像データを生成する生成手段と、前記画像データに従って前記複数種類の色材を塗布して前記印刷領域に画像を形成する形成手段と、を有することを特徴とする。
【発明の効果】
【０００７】
本発明によれば、より適切に複写を制限することができる。
【図面の簡単な説明】
【０００８】
【図１】印刷システムの構成の一例を示す図である。
【図２】ノーカーボン紙の一例を示す図である。
【図３】ノーカーボン紙の一例を示す図である。
【図４】ノーカーボン紙における複写の機構の一例を示す図である。
【図５】印刷の制御処理に係るフローチャートの一例を示す図である。
【図６】印刷の制御処理に係るフローチャートの一例を示す図である。
【図７】ノーカーボン紙における複写の機構の一例を示す図である。
【図８】ノーカーボン紙における複写の機構の一例を示す図である。
【図９】印刷の制御処理に係るフローチャートの一例を示す図である。
【発明を実施するための形態】
【０００９】
以下、本発明の実施形態について図面に基づいて説明する。なお、実施形態は、本発明を限定するものではなく、また、実施形態で説明されている全ての構成が本発明の課題を解決するための手段に必須であるとは限らない。
【００１０】
＜第１の実施形態＞
図１は、本実施形態に係る印刷システムの構成の一例を示す図である。本印刷システムは、ホストコンピュータ１０１と印刷装置１０２とを含んで構成される。ホストコンピュータ１０１及び印刷装置１０２は、ネットワーク１０３を介して通信可能に接続されている。
上述した各種の機器が接続された印刷システムの構成は一例であり、用途や目的に応じて様々な構成を採用することができる。例えば、単体の機器であっても、複数の機器からなるシステムであっても、ＬＡＮ（Local Area Network）やＷＡＮ（Wide Area Network）等のネットワークを介して接続されて処理が行われるシステムであってもよい。例えば、実施形態に示す機能が実行される態様は、限定されるものではない。
ホストコンピュータ１０１は、情報処理装置（コンピュータ）の一例である。より具体的には、ホストコンピュータ１０１は、プリンタドライバ１０４がインストールされた情報処理装置であり、ネットワークＩ／Ｆ１０５を介してネットワーク１０３に接続される。本実施形態では、ホストコンピュータ１０１をＰＣ（Personal Computer）として説明する。
【００１１】
プリンタドライバ１０４は、ホストコンピュータ１０１を制御するＯＳ（Operating System）上で動作するソフトウェアである。また、アプリケーションからの印刷指示によって印刷データをＰＤＬ（Page Description Language）で表現し、印刷ジョブとして、それを印刷装置１０２に送信する。
ネットワークＩ／Ｆ１０５は、ネットワーク１０３を介して外部機器と接続して通信するものであり、ネットワーク１０３上での通信制御処理を実行する。ネットワークＩ／Ｆ１０５は、例えば、ＴＣＰ／ＩＰ（Transmission Control Protocol/Internet Protocol）方式を用いたインターネット通信や印刷装置１０２との間でデータ送受信などが可能である。
なお、ホストコンピュータ１０１は、ＣＰＵ（Central Processing Unit）、ハードディスク、ＲＡＭ（Random Access Memory）、入出力機器などの一般的なハードウェアを有する。しかしながら、これらは汎用的なものであるので、ここでは説明を省略する。
【００１２】
印刷装置１０２は、ネットワークＩ／Ｆ１０６、ＣＰＵ１０７、ＲＡＭ１０８、記憶部１０９、画像処理部１１０、画像形成部１１１、操作部１１２、及びシステムバスを有する装置（コンピュータ）の一例であり、本実施形態ではプリンタとして説明する。ネットワークＩ／Ｆ１０６は、ネットワーク１０３を介して外部機器と接続して通信するものであり、ネットワーク１０３上での通信制御処理を実行する。ネットワークＩ／Ｆ１０６は、例えば、ＴＣＰ／ＩＰ方式を用いたインターネット通信やホストコンピュータ１０１との間でデータ送受信などが可能である。
ＣＰＵ１０７は、印刷装置１０２の記憶部１０９に記憶され、ＲＡＭ１０８にロードされる各種のプログラムによって、様々な数値計算や情報処理、機器制御などを行う。ＲＡＭ１０８は、ＣＰＵ１０７から直接アクセスできる一般的な揮発性の記憶装置の一例であり、ＣＰＵ１０７のワークエリアとして、その他、一時的なデータの記憶に使用される。記憶部１０９は、ホストコンピュータ１０１から受け取った印刷ジョブを一時的、又は恒久的に記憶する役割を担い、本実施形態ではハードディスクドライブとして説明する。
【００１３】
画像処理部１１０は、コピーやＰＤＬ等のページ記述言語で表記された印刷ジョブを処理して印刷画像データを生成し、画像形成部１１１に転送する。なお、ページ記述言語とは、ＰＳ（Post Script）やＰＣＬ（Printer Control Language）に代表される、ページプリンタを制御するための命令を記述するための言語を指す。
また、画像処理部１１０は、印刷ジョブを受信（受領）すると、印刷装置１０２の印刷属性に従って印刷ジョブに画像処理を施し、ページ毎にラスターデータ化して印刷画像データとする。
より具体的には、画像処理部１１０は、印刷ジョブを受信後、その印刷ジョブにノーカーボン紙が含まれているかを判定し、かつ、用紙（印刷用紙）の裏面、つまり、ノーカーボン紙の発色剤（複写材の一例である。）が塗布された面を特定する。画像処理部１１０は、印刷ジョブの処理過程で、あるページをノーカーボン紙の裏面と判定した場合、印刷ジョブ全般に適応すべき画像処理とは異なる、印刷ジョブの入力データに対してトナー塗布を低濃度化しないような画像処理を施した画像データを生成する。
【００１４】
画像形成部１１１は、画像処理部１１０から送られた印刷画像データであるラスターデータを印刷する装置であり、本実施形態では、プリンタエンジンとして説明する。画像形成部１１１は、画像処理部１１０がＲＩＰ（Raster Image Processor）処理で生成したラスターデータをもとに、用紙に画像を形成して印刷物とする。なお、本実施形態では、画像の形成に用いられる色材の一例として電子写真方式でのトナーを用いるが、例えばトナーではなくインクを用いるなど、他の手段を採用してもよい。
操作部１１２は、印刷装置１０２の操作全般を行うためのユーザインターフェイスであり、本実施形態では、ＬＣＤ（Liquid Crystal Display）タッチパネル方式を用いた装置として説明する。
ネットワーク１０３は、インターネットやＬＡＮに代表されるグローバルネットワーク、ローカルネットワーク等であり、印刷装置１０２とホストコンピュータ１０１とを接続する媒体である。また、接続には、ＴＣＰ／ＩＰ方式に代表されるネットワーク通信技術を用いる。
【００１５】
図２は、本実施形態で用いるノーカーボン紙の一例を示す図である。ノーカーボン紙は、上用紙２０１、中用紙２０２、下用紙２０３の三種類の用紙に分類される。なお、上用紙２０１は、ＣＢ（Coated Back）、中用紙２０２は、ＣＦＢ（Coated Front/Back）、下用紙２０３はＣＦ（Coated Front）とも呼ばれる。
上用紙２０１は、原紙２０４と発色剤２０５とで構成され、中用紙２０２は、顕色剤２０６と原紙２０４と発色剤２０５とで構成され、下用紙２０３は、顕色剤２０６と原紙２０４とで構成される。
発色剤２０５は、原紙２０４の裏面（第１の面）に対して、電子供与性の発色剤を含有するマイクロカプセルを塗布、乾燥した発色剤塗布層である。顕色剤２０６は、原紙２０４の表面（第２の面）に対して、電子受容性の顕色剤を塗布、乾燥した顕色剤塗布層である。
【００１６】
ここで、上用紙２０１の表面にペン等を用いて記入が行われると、ノーカーボン紙を用いた複写が行われる。より具体的には、まず、圧力２０７が裏面の発色剤２０５に含まれるマイクロカプセルに伝わる。そして、マイクロカプセルが破れ、発色剤である無色染料２０８が染み出て、中用紙２０２の表面の顕色剤２０６と接触して化学反応を起こして発色することで複写される。同様に、圧力２０７は、中用紙２０２を通過して下用紙２０３に伝わり、同様の作用と化学反応を経て、下用紙２０３に複写される。
なお、本実施形態で用いるノーカーボン紙は、本図に示す構造を有するものだけに限られず、汎用のものを適宜採用できる。本実施形態では、ノーカーボン紙に印刷するには、少なくとも片面に発色剤２０５、少なくとも片面に顕色剤２０６が塗布されている例を挙げて説明するが、発色剤２０５と顕色剤２０６とが接触する他の構成にも適用可能である。また、上用紙２０１、中用紙２０２、下用紙２０３の組み合わせや使用枚数は任意である。
【００１７】
図３は、ノーカーボン紙の一例を示す図である。ここでは、印刷装置１０２によってトナー３０１がノーカーボン紙に塗布され、意図的に複写が遮断される状態を説明する。なお、図２の構成と同一の構成については同一の符号を付して説明を省略する。
上用紙２０１と中用紙２０２とについては、複写を制限（禁止）する領域に対応して、上用紙２０１の裏面上にトナー３０１を塗布する。ノーカーボン紙における複写は、上述の通り、発色剤２０５と顕色剤２０６との化学反応であるため、トナー３０１を塗布することでトナー層が形成され、発色剤２０５と顕色剤２０６との接触を遮断することが可能である。
一方、中用紙２０２の裏面には、トナー３０１を塗布していないので、圧力２０７は、上用紙２０１を通過し、中用紙２０２に届き、上述の原理によって複写が行われる。
【００１８】
図４を用いて、ノーカーボン紙における複写の遮断を実施できるか否かを説明する。図４は、ノーカーボン紙における複写の機構の一例を示す図である。処理Ａは、本実施形態を適応しない場合の例（従来の例）を示し、処理Ｂは、本実施形態を適応した場合の例を示す。
処理Ａでは、画像処理部１１０は、受信した印刷ジョブに基づいて、ノーカーボン紙４０３の表裏に関わらず適応すべき画像処理をジョブ全体に施す。例えば、印刷ジョブにトナーの使用を抑える機能（トナーセーブ機能）が指定されていた場合、画像処理部１１０は、印刷ジョブ全体に対してトナー使用量を減量する画像処理を施した印刷画像データを生成する。そして、画像形成部１１１は、その印刷画像データに応じて画像を形成してトナー４０４を、複写を制限する領域に塗布する。
【００１９】
なお、本実施形態では、トナーセーブ機能によって減量されるトナー使用量は、２０％であるとし、つまり、印刷ジョブの入力画像信号が１００％である場合、最終的なトナーの塗布量は８０％となる。また、トナーの塗布量が減量される可能性のある処理については、トナーセーブ機能の処理の他に、階調補正処理、ノイズ除去処理、スムージング処理、色空間変換処理などが存在し、本実施形態ではそれを特定しない。
【００２０】
したがって、処理Ａでは、最終的に塗布されるトナー４０４が８０％となるので、上述の原理により、無色染料４０５を完全には遮断できず、結果的に一部の発色剤がトナー層を通過し、以降のノーカーボン紙の顕色剤と化学反応して複写がされてしまう。
一方、処理Ｂでは、ノーカーボン紙の裏面であると判断されると、その面に対しては、印刷ジョブ全体に施す画像処理のうち、トナーの塗布量を結果的に減量する処理は行わず、高濃度でトナーを塗布する画像処理を施した印刷画像データを生成する。つまり、トナーセーブ機能を実行する画像処理が施されず、画像形成部１１１にて結果的に１００％でトナー４０６が塗布される。
より広義には、処理Ｂでは、トナーの使用量が規定値（上述の例では１００％）よりも低くされない画像処理が施されない。したがって、発色剤４０７は、基本的には、トナー４０６によるトナー層を通過できず、複写を完全に遮断できる。
【００２１】
図５は、印刷装置１０２における印刷の制御処理に係るフローチャートの一例を示す図である。
まず、画像処理部１１０がネットワークＩ／Ｆ１０６を介してホストコンピュータ１０１から印刷ジョブを受信し（Ｓ５０１）、制御処理が開始される。次に、画像処理部１１０は、ホストコンピュータ１０１から受け取った印刷ジョブを、記憶部１０９に一時的にスプールする（Ｓ５０２）。
次に、印刷処理が開始され、画像処理部１１０は、ＲＩＰ処理を開始する（Ｓ５０３）。
【００２２】
次に、画像処理部１１０は、ＲＩＰ処理する対象のページ（対象ページ）が、ノーカーボン紙、かつ、裏面に該当するかを判定する（Ｓ５０４）。
このとき、該当すると判断した場合、画像処理部１１０は、高濃度化を行う（Ｓ５０５）。より具体的には、画像処理部１１０は、対象ページの印字部分（印刷領域の一例）には、印刷ジョブ全般に適応すべき画像処理とは異なる、印刷ジョブの入力データに対してトナーの塗布を高濃度化する画像処理を施した印刷画像データを生成する。
例えば、画像処理部１１０は、トナーセーブ機能などのトナーの使用量を低減する指定が印刷ジョブに指定されていると判断した場合、トナーの使用量を低減しない１００％の使用量、或いは規定の使用量にする画像処理を施した印刷画像データを生成する。
他方、該当しないと判断した場合、画像処理部１１０は、対象ページの印字部分には、印刷ジョブ全般に適応すべき画像処理を施した印刷画像データを生成する（Ｓ５０６）。
【００２３】
次に、画像処理部１１０は、対象ページの画像処理が終了すると、対象ページが印刷ジョブの最終のページ（最終ページ）であるかを判定する（Ｓ５０７）。このとき、最終ページであると判定した場合、画像処理部１１０は、印刷ジョブに対するＲＩＰ処理を終了する（Ｓ５０８）。他方、最終ページではないと判定した場合、画像処理部１１０は、印刷ジョブに対するＲＩＰ処理を継続し、Ｓ５０４の処理を行う。
ＲＩＰ処理が終了すると、画像形成部１１１は、画像処理部１１０が生成した印刷画像データに基づいて、用紙への印刷を実行し（Ｓ５０９）、印刷装置１０２における制御処理が終了する。
上述した構成によれば、印刷装置１０２は、ノーカーボン紙を用いた複写紙の中で、後続のページで複写させない領域に対して、即ち用紙の裏面の該当する領域に対してトナーを十分に塗布することで、複写をより強固に遮ることを可能にする。
【００２４】
＜第２の実施形態＞
続いて、第２の実施形態について説明する。なお、本実施形態では、第１の実施形態との差異を主に示し、重複する説明に関しては適宜省略する。
ノーカーボン紙の使用方法として、例えば、ノーカーボン紙の裏面に薄い文字（低濃度の文字）を印字する場合がある。その場合、その文字が第１の実施形態のとおり高濃度化されると、使用者の意図しない結果が生じ得る。そこで、本実施形態では、第１の実施形態に加え、複写を制限する領域のオブジェクトによって処理を変更する。
【００２５】
ここで、オブジェクトとは、本実施形態では、テキスト属性、グラフィック属性、イメージ属性を指し、それぞれ、文字、図形、写真などに用いられる印刷ジョブの画像データ上の属性である。また、これらに加え、ノーカーボン紙において後続のページへの複写を制限する領域に対して、複写禁止属性を設けることも可能である。
なお、本実施形態では、ノーカーボン紙の裏面、かつ、テキスト属性（規定の属性の一例）以外のオブジェクトに対して、高濃度化する画像処理を施す構成を採用するが、これを複写禁止属性のオブジェクトに対して、本画像処理を適応するようにしてもよい。つまり、本実施形態は、どの属性に対して本画像処理を施すかについては限定されるものではなく、適宜に変更可能である。
【００２６】
図６は、印刷装置１０２における印刷の制御処理に係るフローチャートの一例を示す図である。
まず、画像処理部１１０がネットワークＩ／Ｆ１０６を介してホストコンピュータ１０１から印刷ジョブを受信し（Ｓ６０１）、制御処理が開始される。次に、画像処理部１１０は、ホストコンピュータ１０１から受け取った印刷ジョブを、記憶部１０９に一時的にスプールする（Ｓ６０２）。
次に、印刷処理が開始され、画像処理部１１０は、ＲＩＰ処理を開始する（Ｓ６０３）。
【００２７】
次に、画像処理部１１０は、ＲＩＰ処理する対象ページが、ノーカーボン紙、かつ、裏面に該当するかを判定する（Ｓ６０４）。
ここで、該当すると判断した場合、画像処理部１１０は、さらに、ＲＩＰ処理する対象のオブジェクトがテキスト属性であるか否かを判定する（Ｓ６０５）。換言するならば、画像処理部１１０は、印字部分の属性を識別する。このとき、テキスト属性でないと判定した場合、対象ページの印字部分には、印刷ジョブ全般に適応すべき画像処理とは異なる、印刷ジョブの入力データに対してトナーの塗布を高濃度化する画像処理を施した印刷画像データを生成する（Ｓ６０６）。
他方、Ｓ６０４で該当しないと判断した場合、又はＳ６０５でテスト属性であると判定した場合、画像処理部１１０は、対象ページの印字部分には、印刷ジョブ全般に適応すべき画像処理を施した印刷画像データを生成する（Ｓ６０７）。
【００２８】
次に、画像処理部１１０は、対象ページの画像処理が終了すると、対象ページが印刷ジョブの最終ページであるかを判定する（Ｓ６０８）。このとき、最終ページであると判定した場合、画像処理部１１０は、印刷ジョブに対するＲＩＰ処理を終了する（Ｓ６０９）。他方、最終ページではないと判定した場合、画像処理部１１０は、印刷ジョブに対するＲＩＰ処理を継続し、Ｓ６０４の処理を行う。
ＲＩＰ処理が終了すると、画像形成部１１１は、画像処理部１１０が生成した印刷画像データに基づいて、用紙への印刷を実行し（Ｓ６１０）、印刷装置１０２における制御処理が終了する。
【００２９】
上述した構成によれば、印刷装置１０２は、ノーカーボン紙を用いた複写紙の中で、後続のページで複写させない領域に対して、即ち用紙の裏面の該当する領域に対してトナーを十分に塗布することで、複写をより強固に遮ることを可能にする。
また、上述した構成によれば、用紙の裏面の該当する領域のオブジェクトによって処理が変更され、意図的に複写を遮断する目的ではない属性の入力データには本処理が適応されないので、印刷ジョブで指定された最適な画像処理で印字することを可能にする。
【００３０】
＜第３の実施形態＞
続いて、第３の実施形態について説明する。なお、本実施形態には、第１の実施形態との差異を主に示し、重複する説明に関しては適宜省略する。
印刷装置１０２の中には、単色のトナー、例えばブラックのみを用いるものと、複数種類のトナー、例えばシアン、マゼンタ、イエロー、ブラックを用いるものとがある。ある印字部分に対し、前者は最大でも１００％（即ち、一のトナーに許容される使用量の最大値）、後者は最大で４００％（即ち、複数のトナーに許容される使用量の最大値）のトナーを乗せることができる。
そこで、本実施形態では、第１の実施形態に加え、印刷装置１０２が複数のトナーを有する場合には、印刷ジョブを解析して画像処理部１１０が算出するトナー使用量よりも多くなるように複数のトナーを用いてより強固に複写が遮断される。
【００３１】
図７は、ノーカーボン紙における複写の機構の一例を示す図である。処理Ａは、本実施形態を適応しない場合の例を示し、処理Ｂは、本実施形態を適応した場合の例を示す。
処理Ａでは、画像処理部１１０は、受信した印刷ジョブに基づいて、ノーカーボン紙７０３の表裏に関わらず適応すべき画像処理をジョブ全体に施す。例えば、印刷ジョブにトナーセーブ機能が指定されていた場合、画像処理部１１０は、印刷ジョブ全体に対してトナー使用量を減量する画像処理を施した印刷画像データを生成する。そして、画像形成部１１１は、その印刷画像データに応じて画像を形成してトナーＡ７０４を、複写を制限する領域に塗布する。
【００３２】
なお、本実施形態では、トナーセーブ機能によって減量されるトナー使用量は、２０％であるとし、つまり、印刷ジョブの入力画像信号が１００％である場合、最終的なトナーの塗布量は８０％となる。また、トナーの塗布量が減量される可能性のある処理については、トナーセーブ機能の処理の他に、階調補正処理、ノイズ除去処理、スムージング処理、色空間変換処理などが存在し、本実施形態では、それを特定しない。
【００３３】
したがって、処理Ａでは、最終的に塗布されるトナーＡ７０４が８０％となるので、上述の原理により、無色染料７０５を完全には遮断できず、結果的に一部の発色剤がトナー層を通過し、以降のノーカーボン紙の顕色剤と化学反応して複写がされてしまう。
一方、処理Ｂでは、ノーカーボン紙の裏面であると判断されると、その面に対しては、印刷ジョブ全体に施す画像処理のうち、トナーの塗布量を結果的に減量する処理は行わず、高濃度でトナーを塗布する画像処理を施した印刷画像データを生成する。さらに、使用するトナーの種類（トナー種）は、単色のトナーＡ７０６だけでなく、トナーＢ７０７、トナーＣ７０８の複数色を用いる。なお、本実施形態では、トナーＡ７０６をブラックトナー、トナーＢ７０７をシアントナー、トナーＣ７０８をマゼンタトナーとして説明する。
【００３４】
また、印刷装置１０２は、さらにイエロートナーを有し、単純計算で合計４００％のトナーを同じ領域に塗布することができる。しかしながら、印刷装置１０２の中には、トナーの定着性の実力として必ずしも４００％のトナーを乗せることはできず、本実施形態においては、印刷装置１０２の最大を２３０％として説明する。
ここで、処理Ｂでは、ノーカーボン紙の裏面にはトナーセーブ機能を実行する画像処理が施されない。一方、画像形成部１１１にて、結果的に合計２３０％のトナーが塗布されるので、発色剤７０９は、トナーＡ７０６、トナーＢ７０７、トナーＣ７０８によるトナー層を通過できず、複写がさらに強固に遮断される。
【００３５】
上述した構成によれば、印刷装置１０２は、ノーカーボン紙を用いた複写紙の中で、後続のページで複写させない領域に対して、即ち用紙の裏面の該当する領域に対してトナーを十分に塗布することで、複写をより強固に遮ることを可能にする。
また、上述した構成によれば、印刷装置１０２が複数のトナーを有する場合には、印刷ジョブを解析して算出するトナー使用量よりも多くなるように複数のトナーを用いることで、複写を更に強固に遮断することを可能にする。
【００３６】
＜第４の実施形態＞
続いて、第４の実施形態について説明する。なお、本実施形態には、第１の実施形態との差異を主に示し、重複する説明に関しては適宜省略する。
ノーカーボン紙において、トナーの塗布によって特定の領域の複写の遮断をする場合、必ずしも印刷ジョブによって指定されたトナー色である必要はない。つまり、複写を遮断することが目的であることから、それは別のトナー色に置き換えられても構わない場合もあるので、印刷ジョブに指定されたトナー色よりも別のトナー色の方が、残量が多い、コストが安い、遮断性能が高いなどの事情を考慮する。そこで、本実施形態では、第１の実施形態に加え、ノーカーボン紙の裏面においては、印刷ジョブから算出されるトナー種に限られるものではなく、任意のトナー種に置き換えて印刷画像データが生成される。
【００３７】
図８は、ノーカーボン紙における複写の機構の一例を示す図である。処理Ａは、本実施形態を適応しない場合の例を示し、処理Ｂは、本実施形態を適応した場合の例を示す。
処理Ａでは、画像処理部１１０は、受信した印刷ジョブに基づいて、ノーカーボン紙８０３の表裏に関わらず適応すべき画像処理をジョブ全体に施す。例えば、印刷ジョブにトナーセーブ機能が指定されていた場合、画像処理部１１０は、印刷ジョブ全体に対してトナー使用量を減量する画像処理を施した印刷画像データを生成する。そして、画像形成部１１１は、その印刷画像データに応じて画像を形成してトナーＡ８０４を、複写を制限する領域に塗布する。
なお、本実施形態では、トナーセーブ機能によって減量されるトナー使用量は、２０％であるとし、つまり、印刷ジョブの入力画像信号が１００％である場合、最終的なトナーの塗布量は８０％となる。また、トナーの塗布量が減量される可能性のある処理については、トナーセーブ機能の処理の他に、階調補正処理、ノイズ除去処理、スムージング処理、色空間変換処理などが存在し、本実施形態では、それを特定しない。
【００３８】
したがって、処理Ａでは、最終的に塗布されるトナーＡ８０４が８０％となるので、上述の原理により、無色染料８０５を完全には遮断できず、結果的に一部の発色剤がトナー層を通過し、以降のノーカーボン紙の顕色剤と化学反応して複写がされてしまう。
一方、処理Ｂでは、ノーカーボン紙の裏面であると判断されると、その面に対しては、印刷ジョブ全体に施す画像処理のうち、トナーの塗布量を結果的に減量する処理は行わず、高濃度でトナーを塗布する画像処理を施した印刷画像データを生成する。さらに、処理Ｂでは、印刷ジョブに指定されたトナーＡ８０４ではなく、別のトナー種であるトナーＢ８０６に変換される。
つまり、処理Ｂでは、ノーカーボン紙の裏面にはトナーセーブ機能を実行する画像処理が施されない。そして、画像形成部１１１によれば、結果的に１００％でトナーＢ８０６が塗布されるので、発色剤８０７は、トナーＢ８０６によるトナー層を通過できず、複写をより強固に遮断できる。
【００３９】
図９は、印刷装置１０２における印刷の制御処理に係るフローチャートの一例を示す図である。
まず、画像処理部１１０がネットワークＩ／Ｆ１０６を介してホストコンピュータ１０１から印刷ジョブを受信し（Ｓ９０１）、制御処理が開始される。次に、画像処理部１１０は、ホストコンピュータ１０１から受け取った印刷ジョブを、記憶部１０９に一時的にスプールする（Ｓ９０２）。
次に、印刷処理が開始され、画像処理部１１０は、ＲＩＰ処理を開始する（Ｓ９０３）。
【００４０】
次に、画像処理部１１０は、ＲＩＰ処理する対象ページが、ノーカーボン紙、かつ、裏面に該当するかを判定する（Ｓ９０４）。
このとき、該当すると判断した場合、画像処理部１１０は、印刷ジョブから算出されるトナー種ではなく、任意のトナー種に置換する（Ｓ９０５）。続いて、画像処理部１１０は、対象ページの印字部分には、印刷ジョブ全般に適応すべき画像処理とは異なる、印刷ジョブの入力データに対してトナーの塗布を高濃度化する画像処理を施した印刷画像データを生成する（Ｓ９０６）。
他方、該当しないと判断した場合、画像処理部１１０は、対象ページの印字部分には、印刷ジョブ全般に適応すべき画像処理を施した印刷画像データを生成する（Ｓ９０７）。
【００４１】
次に、画像処理部１１０は、対象ページの画像処理が終了すると、対象ページが印刷ジョブの最終ページであるかを判定する（Ｓ９０８）。このとき、最終ページであると判定した場合、画像処理部１１０は、印刷ジョブに対するＲＩＰ処理を終了する（Ｓ９０９）。他方、最終ページではないと判定した場合、画像処理部１１０は、印刷ジョブに対するＲＩＰ処理を継続し、Ｓ９０４の処理を行う。
ＲＩＰ処理が終了すると、画像形成部１１１は、画像処理部１１０が生成した印刷画像データに基づいて、用紙への印刷を実行し（Ｓ９１０）、印刷装置１０２における制御処理が終了する。
上述した構成によれば、印刷装置１０２は、ノーカーボン紙を用いた複写紙の中で、後続のページで複写させない領域に対して、即ち用紙の裏面の該当する領域に対してトナーを十分に塗布することで、複写をより強固に遮ることを可能にする。
また、上述した構成によれば、ノーカーボン紙の裏面においては、印刷ジョブから算出されるトナー種ではなく、任意のトナー種に置き換えて画像データを生成することを可能にする。
【００４２】
このように、用紙の種類としてノーカーボン紙の属性が指定された印刷ジョブやページの場合、用紙の裏面に該当するページに対しては、複写の遮断を害する画像処理が基本的には施されない。
また、以上の構成によれば、高濃度のトナーを塗布することで、被複写領域における複写をより強固に遮ることができる。
なお、第１の実施形態から第４の実施形態までに示した構成については、適宜組み合わせてもよい。また、ＣＰＵ１０７が、記憶部１０９に格納されたプログラムの手順に従って処理を行うことによって、印刷装置における上述した機能及びフローチャートに係る処理が実現されてもよい。
【００４３】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００４４】
上述した実施形態の構成によれば、より適切に複写を制限することができる。
【００４５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
0005754962.tif 000002
【図２】
0005754962.tif 000003
【図３】
0005754962.tif 000004
【図４】
0005754962.tif 000005
【図５】
0005754962.tif 000006
【図６】
0005754962.tif 000007
【図７】
0005754962.tif 000008
【図８】
0005754962.tif 000009
【図９】
0005754962.tif 000010